(57)【要約】【課題】  比較的単純な構成で、高圧ガスを迅速にかつ安全に高圧ガス使用設備に充填することが可能な高圧ガス充填用装置に用いる熱交換器、これを用いた高圧ガス充填用装置および高圧ガスの充填方法を提供することにある。また、熱交換効率の向上を図り、熱交換器の小型化、これを用いた高圧ガス充填用装置の小型化を図ることにある。【解決手段】  内部に高圧ガスが流通する高圧ガス流路１と、これに近接し内部に第１伝熱媒体が流通する伝熱媒体流路２と、高圧ガス流路１および伝熱媒体流路２を収容し金属粉粒体と第２伝熱媒体が充填された充填層３と、充填層３の上部に設けられた熱伝導性の高いシール板４と、シール板４の上部に設けられ第２伝熱媒体が流通する空間部５と、これらと外部との熱の移動を防止する断熱層６が設けられていることを特徴とする。【選択図】  図１
2010121657.tif 000002
【特許請求の範囲】
【請求項１】
蓄圧された高圧ガスを高圧ガス使用設備に所定の圧力で供給する高圧ガス充填用装置に用いる熱交換器であって、
内部に高圧ガスが流通する高圧ガス流路と、該高圧ガス流路に近接し内部に第１伝熱媒体が流通する伝熱媒体流路と、前記高圧ガス流路および伝熱媒体流路を収容するとともに熱伝導性の高い金属粉粒体および第２伝熱媒体が充填された充填層と、該充填層の上部に設けられた熱伝導性の高いシール板と、該シール板の上部に前記第２伝熱媒体が流通する空間部と、該空間部、前記高圧ガス流路，伝熱媒体流路および充填層への吸熱を防止する断熱層と、を有することを特徴とする高圧ガス充填用装置に用いる熱交換器。
【請求項２】
前記シール板が通気性とガスの分散機能を有するとともに、前記第２伝熱媒体の供給を加圧条件で行うことを特徴とする請求項１記載の高圧ガス充填用装置に用いる熱交換器。
【請求項３】
前記熱交換器が、フランジ部を有する蓋部と該フランジ部によって接合・密閉される容器から構成され、該蓋部に前記高圧ガス流路、伝熱媒体流路および第２伝熱媒体の導入・導出部が密閉状に接合されることを特徴とする請求項１または２記載の高圧ガス充填用装置に用いる熱交換器。
【請求項４】
請求項１〜３のいずれかに記載の熱交換器を用い、高圧ガスを高圧ガス使用設備に充填する装置であって、
高圧ガスあるいは液化ガスが導入されるガス導入部と、導入された高圧ガスあるいは液化ガスを圧縮する圧縮機と、圧縮された高圧ガスが導入される前記熱交換器と、該熱交換器から供出された供給ガスの圧力および流量を調整する供給ガス調整部と、調整された供給ガスを前記高圧ガス使用設備に充填するガス供給部と、を有することを特徴とする高圧ガス充填用装置。
【請求項５】
前記圧縮機によって圧縮された高圧ガスを異なる圧力で蓄圧可能な複数の蓄圧部と、圧縮機から各蓄圧部への流路に切換弁と、を備え、前記高圧ガス使用設備の所望の圧力に応じて該切換弁を作動させ、前記蓄圧部に蓄圧された高圧ガスが前記熱交換器に導入されることを特徴とする請求項４記載の高圧ガス充填用装置。
【請求項６】
前記熱交換器から導出された第１伝熱媒体または第２伝熱媒体を、前記圧縮機の動力源として使用することを特徴とする請求項４または５記載の高圧ガス充填用装置。
【請求項７】
請求項１〜３のいずれかに記載の熱交換器を用い、高圧ガスを高圧ガス使用設備に充填する方法であって、
（１）高圧ガスあるいは液化ガスが、導入される工程
（２）導入された高圧ガスあるいは液化ガスを、圧縮する工程
（３）圧縮された高圧ガスを、蓄圧する工程
（４）蓄圧された高圧ガスを、前記熱交換器に導入し冷却する工程
（５）冷却され前記熱交換器から供出された供給ガスを、圧力および流量調整する工程
（６）調整された供給ガスを、高圧ガス使用設備に充填する工程
を有することを特徴とする高圧ガスの充填方法。
【発明の詳細な説明】
【技術分野】
【０００１】
本発明は、高圧ガス充填用装置に用いる熱交換器、これを用いた高圧ガス充填用装置および高圧ガスの充填方法に関するもので、特に、燃料電池や水素ステーションなどに供給される水素などの高圧ガス使用設備に、該高圧ガスを供給する高圧ガス充填用装置に用いる熱交換器、これを用いた高圧ガス充填用装置および高圧ガスの充填方法に関するものである。
【背景技術】
【０００２】
近年、環境改善のためのクリーンなエネルギー源として、水素エンジンあるいは燃料電池などが急速に実用化されてきている。自動車などの移送手段においても、こうしたエネルギー源の使用が加速しており、例えば、燃料電池車（ＦＣＶ）の普及には、水素供給インフラとなる水素ステーションの整備が不可欠である。このとき、都市部では敷地面積６６０ｍ２未満のスタンドが大半であり、こうした小さな空間であっても使用できる水素ステーションのコンパクト化がステーション普及には欠かせない。また、住宅密集地にもガソリンスタンドが存在する。その為、水素ステーションのコンパクト化と同時に水素ステーションの安全化が大きな問題になっている。従って、比較的単純な構成で、高圧の水素ガスを急速に、こうした水素使用設備に充填することができ、かつ安全性の高い水素ガス充填用装置が要求される。一方高圧ガス充填用装置に対するこうした要請は、高圧の水素ガスに限らず、メタンガスや天然ガスあるいは不活性ガスや酸素ガスなど様々な種類のガスを充填する装置、またはこうした装置を用いる様々なプロセスにおいて強まっている。
【０００３】
こうした要請に対し、例えば、図５に示すような燃料充てん装置４０が提案されている（例えば特許文献１参照）。この燃料充てん装置４０においては、中間媒体Ｍが入れられた熱交換器４１に液体不活性ガスを供給し、この液体不活性ガスにより中間媒体Ｍを冷却して、その温度を所定の範囲内に調整し、この中間媒体Ｍを用いて水素ガスを冷却する。
【０００４】
このとき、この燃料充てん装置４０に用いられる熱交換器４１は、水素ガスを中間媒体Ｍにより冷却する第１熱交換部４２と、中間媒体Ｍを液体不活性ガスにより冷却する第２熱交換部４３とを備えている。第１熱交換部４２は、中間媒体Ｍを収容する第１容器４２ａと、この第１容器４２ａ内に設けられた水素ガス流通経路４２ｂを備えている。水素ガス流通経路４２ｂは、水素ガス供給経路５３に接続されている。また、第２熱交換部４３は、中間媒体Ｍを収容する第２容器４３ａと、この第２容器４３ａ内に設けられた液体不活性ガス流通経路４３ｂを備えている。液体不活性ガス流通経路４３ｂは、液体不活性ガス供給経路２２および液体不活性ガス排出経路３１に接続されている。第１容器４２ａと第２容器４３ａとは、外部に対して気密に設けられている。また、熱交換器４１内の中間媒体Ｍは、第１容器４２ａと第２容器４３ａの間を、第１および第２の連絡経路４４、４５を介して循環するようになっている（特許文献１段落００３０〜００３４）。
【０００５】
【特許文献１】特開２００４−１２５０８７号公報
【発明の開示】
【発明が解決しようとする課題】
【０００６】
しかし、上記のような高圧ガス充填用装置に用いる熱交換器、これを用いた高圧ガス充填用装置では、以下の課題が生じることがあった。
（ｉ）高圧ガス充填時の高圧ガスの温度変化
このとき、高圧ガスを所定の容器に充填する場合において、容器内での断熱膨張および断熱圧縮に伴う高圧ガスの温度変化に留意する必要がある。つまり、一般に常温条件下では、ジュール・トムソン効果によって高圧ガス充填時にガス温度が低下するガスが多く一方、水素やヘリウムなどのガスは、いわゆる「逆転温度」が低温（例えば、水素では「−５８℃（「水素の有効利用ガイドブック」ｐ．１３、独立法人新エネルギー産業技術総合開発機構、平成２０年３月）」であり、ヘリウムでは「−１７３℃」である）であることから常温で充填すると発熱する。こうした高圧ガスの温度変化は、高圧ガス充填装置の温度管理を困難にするとともに、水素のような発火性ガスについては、安全性の点において問題となる可能性がある。特に、住宅密集地にもスタンドが要求される水素ステーションにおいては、さらに高い安全性が求められることから重大が課題となっている。また、ＦＣＶ用の充填圧力は、従前の３５ＭＰａから７０ＭＰａへの変更が進められ、さらに高い圧力条件下での安全性が求められている。さらに、設備の設置条件によっては、常温ではなく高温条件での充填の可能性を考慮した高圧ガス充填用装置が要求される場合がある。
【０００７】
（ii）高圧ガス充填用装置の小型化
上記プロセス等で使用する高圧ガス充填用装置においては、充填圧力が高いほど圧縮機の大型化は避けられない。また、例えば、ＦＣＶに高圧の水素ガスを充填する場合において、直接燃料タンクに供給すると、高圧ガスの温度を安全性の基準温度８０℃以下とすることが困難となり、予め冷却する場合においても必要なプレクールシステムの大型化は避けられない。しかしながら、水素ステーションあるいは各種プロセスにおける設置場所には上記のような厳しい制限があり、こうした条件下での高圧ガス充填用装置の小型化は大きな課題となっていた。
【０００８】
（iii）高圧ガス充填用装置における充填時間の短縮化
例えば水素ステーションにおいては、高圧ガスの充填時に接続配管を介して充填装置と使用設備を接合する作業が伴い、接続部に水素のような可燃性ガスが高圧条件で流通することから、迅速な充填作業が要求される。しかしながら、例えばＦＣＶへの水素の充填方法にあっては、従前の３５ＭＰａから７０ＭＰａへの変更に伴う充填時間を５分以内とすることが非常に難しいという課題があった。また、このとき多くの高圧ガス充填用装置は冷凍機方式を用いていることから、かなり大型でコストがかかるとともに、冷凍装置は、その冷却に所定の時間を必要とするので、ＦＣＶがスタンドに到着して直ちに充填作業にとりかかることは難しく、作業性を上げるために常に冷凍機を作動させ、いつ来るか分からないＦＣＶのためにスタンバイしておくことはエネルギーロスも大きく経済的な負担も大きくなるという課題があった。
【０００９】
本発明の目的は、比較的単純な構成で、高圧ガスを迅速にかつ安全に高圧ガス使用設備に充填することが可能な高圧ガス充填用装置に用いる熱交換器、これを用いた高圧ガス充填用装置および高圧ガスの充填方法を提供することにある。また、熱交換効率の向上を図り、熱交換器の小型化、これを用いた高圧ガス充填用装置の小型化を図ることにある。特に、ＦＣＶ用の水素ステーションなどのように、危険性の高い高圧ガスに対しても、安全性を確保しながら所望の圧力で安定的に供給することが可能な高圧ガス充填用装置に用いる熱交換器、これを用いた高圧ガス充填用装置および高圧ガスの充填方法を提供することにある。
【課題を解決するための手段】
【００１０】
本発明者らは、上記課題を解決するために鋭意研究を重ねた結果、以下に示す高圧ガス充填用装置に用いる熱交換器、これを用いた高圧ガス充填用装置および高圧ガスの充填方法によって上記目的を達成できることを見出し、本発明を完成するに到った。
【００１１】
本発明は、蓄圧された高圧ガスを高圧ガス使用設備に所定の圧力で供給する高圧ガス充填用装置に用いる熱交換器であって、内部に高圧ガスが流通する高圧ガス流路と、該高圧ガス流路に近接し内部に第１伝熱媒体が流通する伝熱媒体流路と、前記高圧ガス流路および伝熱媒体流路を収容するとともに熱伝導性の高い金属粉粒体および第２伝熱媒体が充填された充填層と、該充填層の上部に設けられた熱伝導性の高いシール板と、該シール板の上部に前記第２伝熱媒体が流通する空間部と、該空間部、前記高圧ガス流路，伝熱媒体流路および充填層への吸熱を防止する断熱層と、を有することを特徴とする。
【００１２】
こうした構成を有する熱交換器によって、比較的単純な構成で、高圧ガスを迅速にかつ安全に熱交換を行うことが可能となり、該高圧ガスを迅速にかつ安全に高圧ガス使用設備に充填することが可能な高圧ガス充填用装置を形成することができる。つまり、高圧ガス流路を（ｉ）伝熱媒体流路との近接、（ii）充填層に充填された金属粉粒体との接触、（iii）第２伝熱媒体との接触、という３つの手段との熱交換によって、高圧条件下においても効率よく加熱・冷却を行い、所望の温度の高圧ガスを形成することができる。と同時に、こうした機能の異なる３つの手段の熱交換効率を調整することによって、熱交換効率が向上し、熱交換器の小型化、これを用いた高圧ガス充填用装置の小型化を図ることが可能となるとともに、高圧ガスの充填条件に対応した最適な温度制御を行うことが可能となった。
【００１３】
つまり、
（ｉ）第１の手段として、熱交換器に導入された高圧ガスが有する熱量（正負を問わない）が、熱伝導性の高い配管で形成された高圧ガス流路に伝達され、これに近接する熱伝導性の高い配管で形成された伝熱媒体流路を介して内部を流通する第１伝熱媒体に伝達されることによって、高圧ガスと第１伝熱媒体の熱交換を効率よく行うことができる。双方の配管を介しての熱交換であるために緩衝機能を有することから、温度制御の基準温度を確定する機能を果たす。
（ii）第２の手段として、高圧ガスが有する熱量が、高圧ガス流路を介して充填層に充填された金属粉粒体に伝達されることによって、高圧ガスと金属粉粒体の熱交換を効率よく行うことができる。金属粉粒体に伝達された熱量は、充填層に導入された第２伝熱媒体に伝達され、外部に放出される。金属粉粒体との直接的な熱伝達機能を有することから、所望の温度への微調整として迅速な温度制御を行う機能を果たす。金属粉粒体の熱容量が第２伝熱媒体よりも大きいことから、高い温度制御機能を有するとともに、金属粉粒体の間隙が第２伝熱媒体で充当されることから、さらに高い温度制御機能を有する
（iii）第３の手段として、高圧ガスが有する熱量が、高圧ガス流路を介して第２伝熱媒体に伝達されることによって、高圧ガスと第２伝熱媒体の熱交換を効率よく行うことができる。第２伝熱媒体との直接的な熱伝達機能を有することから、所望の温度への微調整として迅速な温度制御を行う機能を果たす
という、３つの異なる機能を有する手段で効率よく熱交換を行うことができ、熱交換器の小型化を図ることが可能となった。
【００１４】
本発明は、上記高圧ガス充填用装置に用いる熱交換器であって、前記シール板が通気性とガスの分散機能を有するとともに、前記第２伝熱媒体の供給を加圧条件で行うことを特徴とする。
【００１５】
上記のように、本発明に係る熱交換器において、第２伝熱媒体は、高圧ガス流路と金属粉粒体の伝熱媒体としての機能を果すとともに、その流動性によって熱の移送媒体としての機能を果している。つまり、第２伝熱媒体は、第２の手段である（ii）高圧ガス流路と熱伝導性の高い金属粉粒体が充填された充填層との接触を、より効率的に機能させる補助的な役割と、第３の手段である（iii）高圧ガス流路との接触による熱伝導機能による伝熱媒体としての役割を果すとともに、固定的な金属粉粒体の間隙を流動することによって、金属粉粒体あるいは高圧ガス流路の表面において熱交換しながら充填層を対流する。加温された第２伝熱媒体は、シール板に接触することによって冷却され、さらに下流を形成して、循環的に第２、３の手段としての機能を果すことができる。このとき、通気性とガスの分散機能を有するシール板を用いて第２伝熱媒体の均一な流れを強制することによって、こうした機能を高めることができる。また、供給される第２伝熱媒体を加圧することによって、金属粉粒体の間隙をさらに高い伝熱性媒体で充当することができ、さらに熱交換機能を高めることが可能となる。
【００１６】
本発明は、上記高圧ガス充填用装置に用いる熱交換器であって、前記熱交換器が、フランジ部を有する蓋部と該フランジ部によって接合・密閉される容器から構成され、該蓋部に前記高圧ガス流路、伝熱媒体流路および第２伝熱媒体の導入・導出部が密閉状に接合されることを特徴とする。
【００１７】
上記のように、本発明に係る熱交換器を用いる高圧ガス充填用装置は、３５ＭＰａや７０ＭＰａといった高圧ガスを取扱うことから、高圧ガス流路は高いシール性や耐圧性が要求されるとともに、法律的な規制の対象となることもあり、点検や保守などが容易であることが要求される。本発明においては、高圧ガス流路を耐圧構造が可能な蓋部に接合し、充填層を有する容器と蓋部をフランジ取合いで接合する構造とし、保守・点検時に該フランジ部を解除することによって、導入部から供出部までの全高圧ガス流路が監視可能な構造を形成している。
【００１８】
本発明は、上記いずれかに記載の熱交換器を用い、高圧ガスを高圧ガス使用設備に充填する装置であって、高圧ガスあるいは液化ガスが導入されるガス導入部と、導入された高圧ガスあるいは液化ガスを圧縮する圧縮機と、圧縮された高圧ガスを蓄圧する蓄圧部と、蓄圧された高圧ガスが導入される前記熱交換器と、該熱交換器から供出された供給ガスの圧力および流量を調整する供給ガス調整部と、調整された供給ガスを前記高圧ガス使用設備に充填するガス供給部と、を有することを特徴とする。
【００１９】
高圧ガスの充填操作においては、既述のように高圧ガスの発熱や温度変化による安全性や操作性に対する影響を防止する必要がある。本発明は、導入された高圧ガスあるいは液化ガスを圧縮した後、上記のような３段の熱交換機能を有する熱交換器を用い、加圧後の温度条件を安定的に制御することによって、こうした課題を解消した。また、本発明は、さらに圧縮された高圧ガスを蓄圧する蓄圧部を設け、任意の圧力条件で熱交換器に高圧ガスを供給可能とする構成によって、種々の圧力仕様の高圧ガス使用設備に対応可能な高圧ガス充填用装置を提供することができる。さらに、熱交換効率の向上により、熱交換器の小型化が可能となり、これを用いた高圧ガス充填用装置の小型化を図ることが可能となった。
【００２０】
本発明は、上記高圧ガス充填用装置であって、前記圧縮機によって圧縮された高圧ガスを異なる圧力で蓄圧可能な複数の蓄圧部と、圧縮機から各蓄圧部への流路に切換弁と、を備え、前記高圧ガス使用設備の所望の圧力に応じて該切換弁を作動させ、前記蓄圧部に蓄圧された高圧ガスが前記熱交換器に導入されることを特徴とする。
【００２１】
上記のように、高圧ガス使用設備は種々の圧力仕様となることが多い。本発明は、複数の蓄圧部を備え、圧縮された高圧ガスを複数の圧力条件で蓄圧した後、順次所望の圧力に応じて該当する蓄圧部から高圧ガスを供給することによって、こうした要請に対応することが可能となる。高圧ガス使用設備の圧力仕様の切換に応じて蓄圧部を切換えることによって、迅速に所望の圧力の高圧ガスを高圧ガス使用設備に充填することができる。
【００２２】
本発明は、上記高圧ガス充填用装置であって、前記熱交換器から導出された第１伝熱媒体または第２伝熱媒体を、前記圧縮機の動力源として使用することを特徴とする。
【００２３】
上記のように、本発明に係る熱交換器においては、第１および第２伝熱媒体という２種類の伝熱媒体を用いるとともに、該伝熱媒体は放熱のために排出される。しかしながら、各伝熱媒体は、それぞれ所定の圧力（エネルギー）を有するものであり、一方、高圧ガスの圧縮機の作動には所定のエネルギーが必要である。本発明は、排出される伝熱媒体のこうしたエネルギーを、圧縮機の動力源として用いることによって、エネルギーの有効活用を図ることができる。
【００２４】
また、本発明は、上記いずれかに記載の熱交換器を用い、高圧ガスを高圧ガス使用設備に充填する方法であって、
（１）高圧ガスあるいは液化ガスが、導入される工程
（２）導入された高圧ガスあるいは液化ガスを、圧縮する工程
（３）圧縮された高圧ガスを、蓄圧する工程
（４）蓄圧された高圧ガスを、前記熱交換器に導入し冷却する工程
（５）冷却され前記熱交換器から供出された供給ガスを、圧力および流量調整する工程
（６）調整された供給ガスを、高圧ガス使用設備に充填する工程
を有することを特徴とする。
【００２５】
こうしたプロセスを構成することによって、比較的単純な構成で、高圧ガスを迅速にかつ安全に高圧ガス使用設備に充填することが可能な高圧ガスの充填方法を提供することが可能となった。特に、複数の異なる圧力条件で蓄圧された複数の高圧ガスの蓄圧部（例えば、第１設定圧力の蓄圧部と第２設定圧力の蓄圧部）を備えた場合には、（３）圧縮された高圧ガスを、蓄圧する工程において、第１設定圧力での蓄圧、次に第２設定圧力での蓄圧を行い、（４）蓄圧された高圧ガスを、前記熱交換器に導入し冷却する工程において、順次高圧ガス使用設備の仕様に対応した、第１設定圧力の蓄圧部から第２設定圧力の蓄圧部に（あるいは逆に）切換えて高圧ガスを供給することによって、迅速に所望の圧力の高圧ガスを高圧ガス使用設備に充填することができる。
【発明を実施するための最良の形態】
【００２６】
以下、本発明の実施の形態について、図面を参照しながら説明する。
本発明は、高圧ガスが流通する高圧ガス流路と第１伝熱媒体が流通する伝熱媒体流路が近接し、両流路が熱伝導性の高い金属粉粒体および第２伝熱媒体が充填された充填層に収容され、該充填層の上部から第２伝熱媒体が導入されることを特徴とする熱交換器に係る発明であり、さらに、こうした熱交換器を用い、蓄圧された高圧ガスを高圧ガス使用設備に所定の圧力で供給する高圧ガス充填用装置およびその充填方法に係る発明である。
【００２７】
高圧ガスとしては、既述のように、水素ガスや酸素ガス、メタンガスや天然ガスあるいは不活性ガス（ヘリウムやネオン等）など様々な種類のガスを対象とすることができる。特に、高圧条件下（例えば１ＭＰａ以上）、常温（例えば２０℃付近）での移送によって発熱するガス、具体的には水素（沸点：−２５３℃）、ヘリウム（沸点：−２６９℃）あるいはネオン（沸点：−２４６℃）などを対象とする場合には、非常に効果的である。以下の説明は、主として、ＦＣＶ用の水素ステーションにおいて供給可能な水素ガス充填用装置に用いる熱交換器、これを用いた水素ガス充填用装置および充填方法にかかる事項を中心とする。
【００２８】
第１伝熱媒体としては、例えば通常冷却機などの伝熱媒体として用いられるアンモニア（沸点：−３３℃）など以外に、安全性が高く、入手および低温での輸送が容易で、かつ所定の熱容量を有する液体窒素（沸点：−１９６℃）あるいは液体アルゴン（沸点：−１８６℃）といった不活性ガス、液体水素を用いることが好ましい。第２伝熱媒体としては、熱伝導性が高く、高い安全性を有し金属粉粒体に対する腐食性がないヘリウムなどの不活性ガスを用いることが好ましい。また、後述するように、こうした伝熱媒体を圧縮機の動力源等に利用することができる場合には、その利用に合致し消耗使用可能なガス、例えば液体窒素などを選択することが好ましい。
【００２９】
金属粉粒体としては、熱伝導性が高く、安全で、腐食性の小さいアルミニウムや銅などの金属の粉体あるいは微小粒体（以下「金属粉粒体」という）を用いることが好ましい。また、金属粉粒体の粒径は、良好な伝熱効率を確保するために、０．１ｍｍ以下が好ましく、さらに１〜１００μｍが好ましい。
【００３０】
＜本発明に係る高圧ガス充填用装置に用いる熱交換器の基本構成例（第１構成例）＞
図１は、本発明に係る高圧ガス充填用装置に用いる熱交換器（以下「本熱交換器」という）の基本構成例（第１構成例）を示す概略図である。内部に高圧ガスが流通する高圧ガス流路１と、これに近接し内部に第１伝熱媒体が流通する伝熱媒体流路２と、高圧ガス流路１および伝熱媒体流路２を収容し金属粉粒体と第２伝熱媒体が充填された充填層３と、充填層３の上部に設けられた熱伝導性の高いシール板４と、シール板４の上部に設けられ第２伝熱媒体が流通する空間部５と、こうした構成要素と外部との熱の移動を防止する断熱層６が設けられている。高圧ガス流路１と伝熱媒体流路２は、近接した状態で容器７の側面に密閉状に接合され、断熱層６を介して充填層３に挿入されている。高圧ガス流路１と伝熱媒体流路２は、充填層３内部では、接触時間が大きくなるように螺旋状に旋回し配設されている。容器７の上部は、空間部５を密閉するように、フランジ部７ａ，８ａを介して蓋部８と接合されている。蓋部８には、第２伝熱媒体が導入・導出される伝熱媒体導入部９ａと伝熱媒体導出部９ｂ、および充填層３の内部温度をモニタする温度計Ｔｏが密閉状に接合されている。さらに、図１においては、充填層３を２層に仕切り第２伝熱媒体が均一に流通するように、仕切部材８ｂが蓋部８に設けられた構成を例示している。本熱交換器の機能は、以下の３つ手段によって構成される。
【００３１】
（ｉ）第１の手段
高圧ガス流路１を伝熱媒体流路２と近接させることにより、高圧ガスと伝熱媒体の間での熱交換を効率よく行うことができる。つまり、高圧ガスは、高圧ガス流路１の内部を流通しながら、最初に常温状態で本熱交換器に導入され、高圧ガス流路１を構成する配管を介して近接する伝熱媒体流路２との熱交換によって冷却される。伝熱媒体流路２を構成する配管を介して伝熱媒体流路２に移送された熱量は、第１伝熱媒体によって本熱交換器から排出される。このとき、高圧ガスと第１伝熱媒体を向流させる方法が、熱交換効率が高く好ましい。高圧ガス流路１に対して他の熱交換手段と合せて機能させることから、第１伝熱媒体の負荷を減少させることができる。また、双方の配管を介しての熱交換であるために緩衝機能を有することから、他の熱交換手段によって所望温度の微小調整を行い、本機能によって制御範囲の中心となる基準温度を確定する機能を果たすことができる。
【００３２】
ここで、高圧ガス流路１および伝熱媒体流路２は、熱伝導性の高い配管素材で形成されることが好ましく、例えば銅管やアルミ管などが好適である。また、腐食性の成分が含まれる高圧ガスの場合には、熱伝導性は少し低くなるが、高圧ガス流路１をステンレス鋼によって形成することが好ましい。
【００３３】
（ii）第２の手段
高圧ガス流路１を充填層３に充填された金属粉粒体と接触させることにより、高圧ガスと金属粉粒体の間での熱交換を効率よく行うことができる。つまり、高圧ガスは、上記伝熱媒体流路２との近接によって熱交換されながら、充填層３に収容された高圧ガス流路１を構成する配管を介して接触する金属粉粒体との熱交換によって冷却される。金属粉粒体に移送された熱量は、充填層３の上部に移送されシール板４を介して空間部５を流通する第２伝熱媒体に移送されることによって、本熱交換器から排出される。同時に充填層３に充填された第２伝熱媒体あるいは後述する充填層３を流通する第２伝熱媒体に移送されることによって、本熱交換器から排出される。熱伝導性の高い金属粉粒体への直接的な熱伝達機能を有することから、所望の温度への微調整として迅速な温度制御を行うことができる。このとき、金属粉粒体とともに充填層３に充填された第２伝熱媒体は、高圧ガス流路と金属粉粒体の伝熱媒体としての機能を果すとともに、その流動性によって熱量の移送媒体としての機能（対流による移送あるいは第２伝熱媒体の流通による移送を含む）を果すことによって、各々単独での伝熱媒体としての機能では得られない相乗的な熱交換機能を得ることができる。
【００３４】
（iii）第３の手段
高圧ガス流路１を充填層３に充填された第２伝熱媒体と接触させることにより、高圧ガスと第２伝熱媒体の間での熱交換を効率よく行うことができる。つまり、高圧ガスは、上記伝熱媒体流路２との近接によって熱交換されながら、充填層３に収容された高圧ガス流路１を構成する配管を介して接触する第２伝熱媒体との熱交換によって冷却される。第２伝熱媒体に移送された熱量は、金属粉粒体から移送された熱量とともに、充填層３内を流動して充填層３の上部に移送されシール板４を介して空間部５を流通する第２伝熱媒体に移送されることによって、あるいは後述するように充填層３を流通する第２伝熱媒体に移送されることによって、本熱交換器から排出される。熱伝導性および流動性の高い第２伝熱媒体への直接的な熱伝達機能を有することから、所望の温度への微調整として迅速な温度制御を行うことができる。このとき、第２伝熱媒体とともに充填層３に充填された金属粉粒体は、高圧ガス流路１に対する伝熱媒体としての機能を果すとともに、その所定の熱容量によって、小さな熱容量の第２伝熱媒体からの熱量の一時的な受皿としての役割を果す補助機能を有し、各々単独での伝熱媒体としての機能では得られない相乗的な熱交換機能を得ることができる。
【００３５】
このとき、シール板４は、充填層３からの熱量を第２伝熱媒体に伝達する機能を確保するために、例えば、銅板やアルミニウム板などのように熱伝導性の高い素材を用いて構成することが好ましい。さらに、本熱交換器では、シール板４を通気性とガスの分散機能を有する構成とすることが好ましい。例えばアルミニウムの焼結金属体やメッシュ構造体などをシール板４に用いることによって、図２に示すように、空間部５に導入された第２伝熱媒体Ｍ２を均一に充填層３内に流通させることができ、金属粉粒体３ａに移送された熱量を効率よく空間部５から排出することができる。これによって、金属粉粒体３ａとの接触による熱交換効率をさらに向上させることができる。このとき、第２伝熱媒体Ｍ２の供給を加圧条件で行うことが好ましい。図２に示すような金属粉粒体３ａの間隙３ｂを高い伝熱媒体である第２伝熱媒体Ｍ２で充当し、空気などの伝熱効率の悪い気体を排除するとともに、充填層３内部の伝熱媒体の密度を上げ、さらに熱交換機能を高めることが可能となる。特に、ヘリウムなどのように原子（分子）径の小さなガスを用いることによって、金属粉粒体３ａの細孔部まで高い第２伝熱媒体Ｍ２で充当することができ、さらに熱交換機能を高めることができる。これによって、熱交換効率の向上を図ることができ、熱交換器の小型化、これを用いた高圧ガス充填用装置の小型化を図ることが可能となった。
【００３６】
〔本熱交換器の他の構成例（第２構成例）〕
本熱交換器は、図３（Ａ）に例示するように、フランジ部７ａ，８ａを有する蓋部８とフランジ部７ａ，８ａによって接合・密閉される容器７から構成され、蓋部８に高圧ガス流路１、伝熱媒体流路２、伝熱媒体導入部９ａ、伝熱媒体導出部９ｂおよび温度計Ｔｏが密閉状に接合されることを特徴とする。第１構成例と同様の機能を有するとともに、図３（Ｂ）に示すように、容器７を蓋部８から取外すことによって高圧ガス流路１の保守・点検を行うことができる。
【００３７】
つまり、本熱交換器を用いる高圧ガス充填用装置は、高圧ガス流路１の高いシール性や耐圧性が要求されるとともに、点検や保守などが容易であることが要求される。本熱交換器は、高圧ガス流路１を蓋部８に接合し、充填層３を有する容器７に蓋部８をフランジ取合いで接合する耐圧構造とし、保守・点検時にフランジ部７ａ，８ａを解除することによって、高圧ガスの導入部から供出部までの全高圧ガス流路１が監視可能な構造を形成している。このとき、容器７内部の高圧ガス流路１との接合を、蓋部８に設けられた耐圧性の高い継ぎ手を介して行うことも可能であり、高圧ガス流路１の取外しおよび取付けが容易となり、保守・点検が容易となる。
【００３８】
＜本熱交換器を用いる高圧ガス供給装置の基本構成例＞
図４は、本熱交換器を用いる高圧ガス供給装置（以下「本装置」という）の基本構成例を示す概略図である。本装置は、高圧ガスあるいは液化ガスが導入されるガス導入部１０と、導入された高圧ガスあるいは液化ガスを圧縮する圧縮機２０と、圧縮された高圧ガスを蓄圧する蓄圧ユニット３０と、圧縮された高圧ガスが導入される本熱交換器４０と、熱交換器４０から供出された供給ガスの圧力および流量を調整する供給ガス調整部５０と、調整された供給ガスを高圧ガス使用設備６０ａに充填するガス供給部６０と、本熱交換器４０に第１伝熱媒体を供給する第１伝熱媒体供給部７０と、から構成される。本装置は、定置型、移動型あるいは可搬型のいずれにも適用可能である。
【００３９】
導入された高圧ガスあるいは液化ガスを圧縮した後、上記のような３段の熱交換機能を有する本熱交換器４０を用い、加圧後の温度条件を安定的に制御することによって、高圧ガスの発熱や温度変化による安全性や操作性に対する影響を防止し、高圧ガスを迅速にかつ安全に高圧ガス使用設備６０ａに充填することができる。また、圧縮された高圧ガスを蓄圧する蓄圧部を備えた蓄圧ユニット３０を設け、任意の圧力条件で熱交換器４０に高圧ガスを供給可能とする構成によって、種々の圧力仕様の高圧ガス使用設備６０ａに対応可能な高圧ガスを供給することができる。以下、それぞれの構成要素について説明する。
【００４０】
〔ガス導入部１０〕
高圧ガスは、１次蓄圧部１０ａを有するガス導入部１０から調整弁Ａ１によって供給量が調整され、開閉弁Ｖ１を介して供給される。ガス導入部１０においては、１次蓄圧部１０ａから供給される高圧ガスの圧力は圧力計Ｐ１によって管理され安全弁Ｓ１によって高圧ガス流路１の圧力の過大を防止している。１次蓄圧部１０ａでの高圧ガスは、通常、常温で１〜２０ＭＰａで蓄圧される。なお、供給される高圧ガスの原料は、高圧ガスあるいは液化ガスは問わず、１次蓄圧部１０ａを冷却し液化ガスとして貯留し、供給時に加温することも可能である。
【００４１】
〔圧縮機２０〕
導入された高圧ガスは、ガス導入部１０の下流に設けられた圧縮機２０によって圧縮され、蓄圧ユニット３０に供出される。具体的には、１次蓄圧部１０ａからの高圧ガスが開閉弁Ｖ２ａおよび圧力計Ｐ２ａを介して圧縮機本体２０ａに供給され、圧縮された状態で、蓄圧ユニット３０に供出される。圧縮された高圧ガス流路１には圧力計Ｐ２ｂおよび安全弁Ｓ２が設けられ、圧力管理と安全性の確保を図っている。本装置に用いる圧縮機２０は、予め蓄圧されたクリーンな高圧ガスをさらに圧縮することを目的とし、さらに例えば水素ステーションのように、３５ＭＰａや７０ＭＰａの高圧条件を形成する必要があることから、例えばブースター式圧縮機が好ましい。また、ピストン式あるいはダイヤフラム式などのレシプロタイプや、ターボ式あるいはロータリー式など使用条件に応じた圧縮機を選択することが可能である。
【００４２】
ここで、熱交換器４０から導出された第１伝熱媒体または第２伝熱媒体を、圧縮機２０の動力源として使用することが好ましい。上記のように、本熱交換器４０においては、第１および第２伝熱媒体という２種類の伝熱媒体を用いられ、それぞれ所定の圧力（エネルギー）を有するものであり、排出される伝熱媒体のこうしたエネルギーを、圧縮機２０の動力源として用いることによって、エネルギーの有効活用を図ることができる。
【００４３】
〔蓄圧ユニット３０〕
圧縮機２０によって圧縮された高圧ガスは、一定の圧力で安定的に熱交換器４０を介して供給ガス調整部５０に供給すべく、蓄圧ユニット３０に蓄圧される。また、蓄圧ユニット３０は、種々の圧力仕様の高圧ガス使用設備６０ａに対応可能な高圧ガスを供給することを目的として、圧縮機２０によって圧縮された高圧ガスを異なる圧力で蓄圧可能な複数の蓄圧部（図４においては、２つの蓄圧部３０ａ，３０ｂから構成される場合を示す）を備えることが好ましい。複数の蓄圧部３０ａ，３０ｂに複数の圧力条件で蓄圧した後、順次所望の圧力に応じて該当する蓄圧部から高圧ガスを供給することによって、迅速に所望の圧力の高圧ガスを高圧ガス使用設備６０ａに充填することができる。圧縮機２０から蓄圧部３０ａ，３０ｂへの流路には、開閉弁Ｖ３ａ，Ｖ３ｂおよびＶ３ｃが設けられ、順次開状態にして各蓄圧部３０ａ，３０ｂから高圧ガスが本熱交換器４０へ供出される。また、開閉弁Ｖ３ａ，Ｖ３ｂと蓄圧部３０ａ，３０ｂとの間の流路には、圧力計Ｐ３ａ，Ｐ３ｂおよび安全弁Ｓ３ａ，Ｓ３ｂが設けられ、圧力管理と安全性の確保を図っている。
【００４４】
蓄圧部３０ａ，３０ｂは、例えば複数のシリンダＢ１〜Ｂｎ（図４においては、蓄圧部３０ａに４つのシリンダＢ１〜Ｂ４、蓄圧部３０ｂに２つシリンダＢ５，Ｂ６が配設された場合を示す）を配設することによって所望の高圧ガスの容量を確保することができる。つまり、例えば、図４に示すように、所望の圧力が３５ＭＰａの場合には、蓄圧部３０ａに約２５０Ｌの４つのシリンダＢ１〜Ｂ４を設けて約４０ＭＰａに蓄圧し、所望の圧力が７０ＭＰａの場合には、蓄圧部３０ｂに同容量の２つシリンダＢ５，Ｂ６を設けて、約８０〜８５ＭＰａに蓄圧することによって、同容量の圧力条件の異なる高圧ガスを高圧ガス使用設備６０ａに充填することができると同時に、圧縮機２０からの高圧ガスを同一負荷条件で供給することができる。
【００４５】
〔本熱交換器４０〕
蓄圧ユニット３０から導入された高圧ガスは、開閉弁Ｖａを介して本熱交換器４０に導入され、既述の機能によって安定した低温状態にして（−６０℃から−１０℃）供給ガス調整部５０に供出される。本熱交換器４０には、第１伝熱媒体（例えば液体窒素）が、高圧ガス流路１と近接する伝熱媒体流路２に導入されるとともに、第２伝熱媒体（例えばヘリウム）が、圧力調整弁Ａ４ａ、開閉弁Ｖ４、圧力計Ｐ４および伝熱媒体導入部９ａを介して、第２伝熱媒体供給部４０ａから導入される。第２伝熱媒体の導入量は、本熱交換器４０の伝熱媒体導出部９ｂからの流路に設けられた調整弁Ａ４ｂによって調整される。
【００４６】
実機において本熱交換器４０を用い、高圧ガスとして水素、第１伝熱媒体として液体窒素、第２伝熱媒体としてヘリウム、金属粉粒体としてアルミニウムを使用した場合、圧力７０ＭＰａの水素ガスを５ｋｇ充填する場合、従前約２０〜６０分程度必要であった高圧ガスの充填（準備）時間が、５〜１０分以内に改善された。また、本熱交換器４０の熱交換効率の向上により、従前の同仕様の熱交換器に比較し、数分の１の小型化を図ることが可能となり、これを用いた高圧ガス充填用装置についても、従前の同仕様の装置に比較し、約１／２以下の小型化が可能となった。
【００４７】
〔供給ガス調整部５０〕
熱交換器４０から供出された高圧ガスは、高圧ガス使用設備６０ａへの供給ガスとして圧力および流量を調整する供給ガス調整部５０に導入される。具体的には、所望の圧力以上であることを圧力計Ｐ５ａで管理しながら、フィルタＦおよび開閉弁Ｖ５を介して導入され、圧力計Ｐ５ｂをモニタしながら調整弁Ａ５によって所望の圧力および流量に調整される。圧力あるいは流量が調整範囲を超える場合には、蓄圧部３０ａ，３０ｂからの供給量によって、過不足がないように調整される。
【００４８】
〔ガス供給部６０〕
所望の圧力および流量に調整された供給ガスは、ガス供給部６０を介して高圧ガス使用設備６０ａに充填される。つまり、開閉弁Ｖ６を開状態として、供給ガスの切換え時の圧力変動および流量変動を緩和する緩衝部Ｂｆを介して高圧ガス使用設備６０ａに充填することによって、迅速かつ安定した充填操作を確保することができる。
【００４９】
〔第１伝熱媒体供給部７０〕
本熱交換器４０の伝熱媒体流路２に供給される第１伝熱媒体は、第１伝熱媒体供給部７０から導入されるとともに、回収される。具体的には、例えば第１伝熱媒体として液体窒素を用いた場合、液体窒素貯留部７０ａから切換弁Ｖ７ａを介して伝熱媒体流路２に液体窒素が供給され、本熱交換器４０において高圧ガスとの熱交換に用いられ、本熱交換器４０から導出された窒素（気液混合状態）は加温用熱交換器７０ｂによって常温近くに加温され、開閉弁Ｖ７ｂを介して放出される。
【００５０】
このとき、図４に示すように、本熱交換器４０から導出された第１伝熱媒体（窒素）を、開閉弁Ｖ７ｂを介して放出せずに蓄積し、蓄圧ユニット３０に高圧ガスを供給するために圧縮機２０を作動させるときに、圧力計Ｐ７によって供給圧力をモニタしながら開閉弁Ｖ７ｃおよび調整弁Ａ７を介して圧縮機２０に供給し、その動力源として使用することが好ましい。導出された窒素が有するエネルギーを有効に活用することによって、本装置全体のエネルギー効率の向上を図ることができる。また、蓄積された窒素で不十分な場合には切換弁Ｖ７ａを切換えて本熱交換器４０をバイパスして圧縮機２０に直接窒素を供給することも可能である。
【００５１】
＜本装置における操作方法＞
本装置においては、上記各構成要素の機能を活かし、以下のプロセスに沿って操作することが好ましい。
（１）高圧ガスあるいは液化ガスが、導入される工程
（２）導入された高圧ガスあるいは液化ガスを、圧縮する工程
（３）圧縮された高圧ガスを、蓄圧する工程
（４）蓄圧された高圧ガスを、前記熱交換器に導入し冷却する工程
（５）冷却され前記熱交換器から供出された供給ガスを、圧力および流量調整する工程
（６）調整された供給ガスを、高圧ガス使用設備に充填する工程
【００５２】
つまり、ガス導入部１０からの高圧ガスを、所望の圧力を確保できるように圧縮し、少し高めの圧力に蓄圧された高圧ガスを、３つの手段を有する熱交換器を用いて冷却することによって、局部的な断熱膨張および断熱圧縮に伴う高圧ガスの温度変化を防止するとともに、供給ガス調整部５０での圧力および流量調整を確保し、高圧ガス消費設備６０ａの要求仕様に対応した圧力条件で、安全かつ迅速に供給することができる。
【００５３】
また、本装置において、図４に示すように複数の異なる圧力条件で蓄圧された複数の高圧ガスの蓄圧部（例えば３５ＭＰａの蓄圧部３０ａと例えば７０ＭＰａの蓄圧部３０ｂ）を備えた場合には、供給開始に当り、（３）圧縮された高圧ガスを、蓄圧する工程において、３５ＭＰａでの蓄圧、次に７０ＭＰａでの蓄圧を行い、（４）蓄圧された高圧ガスを、本熱交換器４０に導入し冷却する工程において、順次高圧ガス使用設備６０ａの仕様に対応して、３５ＭＰａの蓄圧部から７０ＭＰａの蓄圧部に（あるいは逆に）切換えて高圧ガスを供給することが好ましい。
【産業上の利用可能性】
【００５４】
上記においては、主として水素ステーションに配設される高圧水素ガスの充填用装置について、その操作方法およびそれに用いる熱交換器の詳細を述べたが、本発明は、こうした水素ステーションに限られず、各種プロセス用の高圧ガスに適用することができる。特に高圧条件下での移送によって発熱するガス、具体的には水素やヘリウムなどを対象とする製造プロセスに対して有用である。
【図面の簡単な説明】
【００５５】
【図１】本発明に係る高圧ガス充填用装置に用いる熱交換器の基本構成例を示す概略図
【図２】本発明に係る熱交換器における熱伝達する機能を例示する説明図
【図３】本発明に係る熱交換器の他の構成例を示す概略図
【図４】本発明に係る熱交換器を用いる高圧ガス供給装置の基本構成例を示す概略図
【図５】従来技術に係る燃料充てん装置を例示する説明図
【符号の説明】
【００５６】
１    高圧ガス流路
２    伝熱媒体流路
３    充填層
４    シール板
５    空間部
６    断熱層
７    容器
７ａ  フランジ部
８    蓋部
８ａ  フランジ部
８ｂ  仕切部材
９ａ  伝熱媒体導入部
１０  ガス導入部
２０  圧縮機
３０  蓄圧ユニット
４０  本熱交換器
５０  供給ガス調整部
６０  ガス供給部
６０ａ  高圧ガス使用設備
７０  第１伝熱媒体供給部
Ｔｏ  温度計
【図１】
2010121657.tif 000003
【図２】
2010121657.tif 000004
【図３】
2010121657.tif 000005
【図４】
2010121657.tif 000006
【図５】
2010121657.tif 000007